【手続補正書】
【提出日】平成19年3月5日(2007.3.5)
【手続補正１】
【補正対象書類名】明細書
【補正対象項目名】特許請求の範囲
【補正方法】変更
【補正の内容】
【特許請求の範囲】
【請求項１】
治療部位の表面を安定化させるための可撓性吸引体であって、該吸引体が吸引路を具備してなり、該吸引路が、
治療部位を露出させるための開口部を規定する環状又は蹄鉄形ベースと、
該ベースの外側周縁に沿って取着されフレアー状で拡張可能な外側リムと、
該ベースの内側周縁に沿って取着された内側リムと、
上記吸引路内に部分的真空を確立するための吸引ポートと、
を具備してなる吸引体。
【請求項２】
上記吸引体が環状をなし、吸引体を開口させたり、吸引体を治療部位から除去するための開放機構を更に具備してなる請求項１記載の吸引体。
【請求項３】
該開放機構が吸引体を通って部分的に延びた溝を有し、該溝の両側で吸引体に対し反対方向の力を吸引体に対し加えたとき、吸引体が該溝で治療部位から除去されるようになっている請求項２記載の吸引体。
【請求項４】
該溝が該吸引路の一体性を阻害しない請求項３記載の吸引体。
【請求項５】
該治療部位が心臓の表面の吻合部位であり、該ベースの開口部の大きさは、それを通して冠状動脈バイパス移植片を吻合部位に取着させるのに十分なものである請求項１記載の吸引体。
【請求項６】
該環状ベースが円形で円形開口部を規定している請求項１記載の吸引体。
【請求項７】
円形開口部の直径が約１ｍｍないし約２５ｍｍの範囲である請求項６記載の吸引体。
【請求項８】
円形開口部の直径が約１５ｍｍないし約２０ｍｍの範囲である請求項６記載の吸引体。
【請求項９】
該環状ベースが楕円形で該ベース中に楕円形開口部を規定している請求項５記載の吸引体。
【請求項１０】
該楕円形開口部の短軸が約１ｍｍないし約２０ｍｍの範囲であり、該楕円形開口部の長軸が約２ｍｍないし約２５ｍｍの範囲である請求項９記載の吸引体。
【請求項１１】
該外側リムの厚みが、該ベースへの取着点から該リムの先端に向けて漸次変化し、該ベースから外側リムの先端への垂直距離が該内側リムのものよりも大きい請求項１記載の吸引体。
【請求項１２】
該ベースと吸引路が蹄鉄形である請求項１記載の吸引体。
【請求項１３】
該外側リムの先端部が十分に可撓性のものであり、該外側リムを治療部位と接触させた状態で部分的真空を吸引体に適用することにより該外側リムが平坦になり治療部位の表面を横切って外側に向けて拡張するものである請求項１記載の吸引体。
【請求項１４】
該吸引装置の吸引領域が約０．１ｃｍ２ないし約１０ｃｍ２の範囲の面積を有する請求項１記載の吸引体。
【請求項１５】
該吸引体がエラストマーから形成されたものである請求項１記載の吸引体。
【請求項１６】
該エラストマーが、シリコーン又はウレタンである請求項１５記載の吸引体。
【請求項１７】
着脱自在なハンドルを該吸引体の外側表面に取着させるための少なくとも１つの取着部位を更に有する請求項１記載の吸引体。
【請求項１８】
更に頭頂部を有し、該頭頂部が該ベースの１側の周縁に沿って配置され、該吸引路が該ベースの他側の周縁に沿って配置されている請求項１記載の吸引体。
【請求項１９】
複数の取着部位が該頭頂部に配置されている請求項１８記載の吸引体。
【請求項２０】
該ハンドルが可撓性を有する安定化部材であり、取着部位が該頭頂部に設けられた孔部であり、可撓性安定化部材の歯部を受理するようになっている請求項１９記載の吸引体。
【請求項２１】
該吸引体が、吸引路に部分的真空が保持された状態で、治療部位からの流体を除去するための少なくとも１個の排液孔を更に具備する請求項１記載の吸引体。
【請求項２２】
該吸引体が頭頂部に設けられた複数の排液孔を更に具備し、吸引路に部分的真空が保持された状態で、治療部位からの流体を除去し得るようになっている請求項１８記載の吸引体。
【請求項２３】
該吸引路が該ベースの周縁の周りに部分的にのみ延びている請求項１記載の吸引体。
【請求項２４】
該吸引ポートが該外側リム内に配置されている請求項１記載の吸引体。
【請求項２５】
該吸引ポートが該外側リムの取着点から該ベースに向けて、下方かつ側方に傾斜している請求項２４記載の吸引体。
【請求項２６】
該吸引体が透明ないし半透明である請求項１記載の吸引体。
【請求項２７】
該吸引体が起伏を有する（ｃｏｎｔｏｕｒｅｄ）請求項１記載の吸引体。
【請求項２８】
該吸引体が内視鏡カテーテルの先端に装着し得るようになっている請求項１記載の吸引体。
【請求項２９】
該内視鏡カテーテルが物質を治療部位に注入したり、治療部位から組織又は流体を除去するためのものであり、該吸引体のベースの開口部の大きさが、針又はトロカールを該内視鏡カテーテルの内部から治療部位に向けて通過させ得る寸法のものである請求項２８記載の吸引体。
【請求項３０】
治療部位を安定化させるための方法において使用される可撓性吸引体であって、
吸引体を治療部位の表面に保持し、
ここで、吸引路が、
治療部位を露出させるための開口部を規定する環状又は蹄鉄形ベースと、
該ベースの外側周縁に沿って取着されフレアー状で拡張可能な外側リムと、
該ベースの内側周縁に沿って取着された内側リムと、
上記吸引路内に部分的真空を確立するための吸引ポートと、
を具備してなり、
該吸引体の外側リムの先端が治療部位に押し当てられ、
十分な部分的真空を吸引ポートを介して吸引路に適用することにより上記吸引体を治療部位に取着させ、それにより治療部位を安定化させるための方法において使用される可撓性吸引体。
【請求項３１】
該吸引体の外側リムが平坦になり、外側に向けて拡張し、部分的真空が該吸引路内に確立されている請求項３０記載の可撓性吸引体。
【請求項３２】
該吸引体の保持が、該吸引路の外部に取着された変形可能、かつ、着脱自在なハンドルによりなされる請求項３０記載の可撓性吸引体。
【請求項３３】
該ハンドルを該吸引体との関連で一定方向にロックする工程を更に具備する方法において使用される請求項３０記載の可撓性吸引体。
【請求項３４】
該ハンドルを外部部材に一時的に固定する工程を更に具備する方法において使用される請求項３３記載の可撓性吸引体。
【請求項３５】
該安定化が治療部位の表面に張力を適用することを含む方法において使用される請求項３０記載の可撓性吸引体。
【請求項３６】
部分的真空の適用により該ベースの開口部を介して治療部位を部分的に押出すことを含む方法において使用される請求項３０記載の可撓性吸引体。
【請求項３７】
該治療部位が鼓動心臓の表面の冠状動脈の吻合部位であり、該安定化が鼓動心臓の治療部位の動きを実質的に減少させることを含む方法において使用される請求項３０記載の可撓性吸引体。
【請求項３８】
吸引路に部分的真空が保持された状態で、該吸引体が治療部位からの流体を除去し得るようにした少なくとも１つの排液孔を更に具備し、この少なくとも１つの排液孔を介して該治療部位からの流体を除去する工程を更に具備する方法において使用される請求項３０記載の可撓性吸引体。
【請求項３９】
流体の除去が、ガス流を治療部位に適用することにより該流体を該排液孔を介して吹き払うことを含む方法において使用される請求項３８記載の可撓性吸引体。
【請求項４０】
該開口部の大きさが、治療部位の外科的手法を、吸引体を治療部位に取着させた状態で該開口部を介して行える寸法である請求項３０記載の可撓性吸引体。
【請求項４１】
該吸引体が更に開放機構を具備し、該開放機構を駆動させて該吸引体を治療部位から除去させる工程を更に含む方法において使用される請求項３０記載の可撓性吸引体。
【請求項４２】
該吸引体が約０．１ｃｍ２ないし約１０ｃｍ２の範囲の表面積に亘って部分的真空を適用するものである請求項３０記載の可撓性吸引体。
【請求項４３】
治療部位表面での局所的吸引出血の形成が最小化される請求項３０記載の可撓性吸引体。
【請求項４４】
吸引体がカテーテルの先端部に取着され、
治療部位へ物質を注入する工程、又は吸引体の開口部を介して治療部位から物質を回収する工程をさらに具備する方法において使用される請求項３０記載の可撓性吸引体。
【請求項４５】
該カテーテルがその先端部にて摺動自在に収容した針又はトロカールを具備し、吸引体
のベースの開口部が、針又はトロカールを該カテーテルの内部から治療部位に向けて所定深さまで侵入させ、かつ、そこから該カテーテル内に引き戻すことを可能にしている請求項４４記載の可撓性吸引体。
【請求項４６】
前記治療部位を、被験者の心臓、胃、食道、又は肺の表面に位置するように使用される請求項４２記載の可撓性吸引体。